(57)【要約】      （修正有）【課題】極めてシンプルな構成で部品点数の減少を図りつつ、縦置き使用もできるディスク装置を提供する。【解決手段】一方の面に凹段部を有するディスク受け面２２を備えたトレイ２を、本体キャビンネット１に出し入れ自在に形成してなるディスク装置において、ディスク受け面２２の裏面側に、トレイ２の前面２５から貫装されその一部にギア溝を有するシャフト４と、一端が裏面側に、他端がディスク受け面２２に位置するようにトレイの凹段部分を嵌装し、その一方の面にギア溝を有するディスク落下防止片５とからなり、トレイ２の前面２５に位置するシャフト４の操作部４２を回転することにより、ディスク落下防止片５をディスク受け面２２の中心方向に移動可能に構成する。【選択図】図１
2004158103.tif 000002
【特許請求の範囲】
【請求項１】
一方の面に凹段部を有するディスク受け面を備えたトレイを、本体キャビンネットに出し入れ自在に形成してなるディスク装置において、
前記ディスク受け面の裏面側に、トレイの前面から貫装されその一部にギア溝を有するシャフトと、一端が前記裏面側に、他端がディスク受け面側に位置するようにトレイの凹段部分を嵌装し、その一方の面に前記シャフトのギア溝に系合するギア溝を有するディスク落下防止片とからなり、前記トレイの前面に位置するシャフトの操作部を回転することにより、前記ディスク落下防止片を前記ディスク受け面の中心方向に移動可能に構成したことを特徴とするディスク装置。
【請求項２】
一方の面に凹段部を有するディスク受け面を備えたトレイを、本体キャビンネットに出し入れ自在に形成してなるディスク装置において、
前記ディスク受け面の裏面側に、トレイの前面から貫装されその一部にギア溝を有するシャフトと、一端が前記裏面側に、他端がディスク受け面側に位置するようにトレイの凹段部分を嵌装し、その一方の面に前記シャフトのギア溝に系合するギア溝を有するディスク落下防止片とからなり、前記トレイの前面に位置するシャフトの操作部を前後に移動することにより、前記ディスク落下防止片を前記ディスク受け面の中心方向に移動可能に構成したことを特徴とするディスク装置。
【発明の詳細な説明】
【０００１】
【発明の属する技術分野】本発明は、情報が記録されたディスクの再生又はディスクへの情報の記録を行なうＣＤおよびＣＤ関連ディスクの駆動装置で、通常トレイロード方式と呼ばれるディスクのロードおよびイジェクト方式を採用しているディスク装置に係り、特に、縦置き使用もできるディスク装置に関する。
【０００２】
【従来の技術】周知の通り、ＣＤ、ＣＤ−ＲＯＭ、ＣＤ−Ｒ、ＣＤ−Ｉ、ＣＤ−Ｅ、ＤＶＤなどディスクのデータの読み込みまたは／および書き込みを行うディスク装置のディスク搬入・搬出（ロード・イジェクト）方式としては、通常トレイロード方式と呼ばれる方式がある。このトレイロード方式のディスク装置は、ＣＤ等のディスクを載置すると共に、本体キャビネットに対し出し入れ自在に設けられたトレイを有し、ヘッドを用いて前記トレイに載置されたディスクとの間でデータの読み込みまたは／および書き込みを行う。
【０００３】
【発明が解決しようとする課題】ところで、従来のトレイロード方式のディスク装置は、通常、水平置きとして使用されている。つまり、このトレイロード方式のディスク装置は、装置を水平に置くことを前提として設計されているため、縦置きでは、トレイにディスクをセッティングすることが不可能で、使用できなかった。
【０００４】この対策として従来では、縦置き時のディスクを保持するために設けられたディスク押さえ部材を、インジェクトおよびローディング動作に対応して付勢バネに繋がれた連動レバーを回動するように制御する制御装置を備えたものがある（例えば、特許文献１参照）。
【０００５】また、縦置き時のディスクを保持するために設けられたディスク固定部材を、トレイの収納動作に連動して、収納時にはカムとピントの系合により捩じりコイルバネの付勢に抗してスライドクランプ板を動かし、その固定を解除するように構成したものがある（例えば、特許文献２参照）。
【０００６】
【特許文献１】
特開平１１−１６７７６０号公報
【特許文献２】
特開平８−４５１５７号公報
【０００７】
【発明が解決しようとする課題】しかし、前者の特許文献１記載の構成では、ディスク押さえ部材を制御装置により制御し、しかも付勢バネなどを用いており、部品点数が多くなり、その構成が極めて煩雑となり、勢い高価なものとなる。
【０００８】また、後者の特許文献２記載の構成では、トレイの収納と連動しており、動作に時間がかかる他、前者のものと同様、カム機構や捩じりコイルバネを用いているので、部品点数が多くなり、勢い装置構成が極めて煩雑となる傾向がある他、高価なものとなる、などといった課題があった。
【０００９】本発明は、上述した問題を解決するためになされたものであり、極めてシンプルな構成で部品点数の減少を図りつつ、縦置き使用もできるディスク装置を提供することを目的とする。
【００１０】
【課題を解決するための手段】かかる目的を達成するため、請求項１記載の発明では、一方の面に凹段部を有するディスク受け面を備えたトレイを、本体キャビンネットに出し入れ自在に形成してなるディスク装置において、前記ディスク受け面の裏面側に、トレイの前面から貫装されその一部にギア溝を有するシャフトと、一端が前記裏面側に、他端がディスク受け面側に位置するようにトレイの凹段部分を嵌装し、その一方の面に前記シャフトのギア溝に系合するギア溝を有するディスク落下防止片とからなり、前記トレイの前面に位置するシャフトの操作部を回転することにより、前記ディスク落下防止片を前記ディスク受け面の中心方向に移動可能に構成する。
【００１１】請求項１記載の発明の構成によれば、この種ディスク装置を縦置き使用する場合、トレイの前面に位置するシャフトの操作部を回転すれば、この回転力はシャフトのギア溝に系合するディスク落下防止片のギア溝に伝達され、これによりディスク落下防止片は、ディスク受け面の中心方向に移動する。この状態で、ディスク受け面に沿うようにディスクを載置すれば、ディスクは前記ディスク落下防止片により保持される。従って、ディスクの落下を防止することが出来きる。しかも、その構成は、この種ディスク装置に、その一部にギア溝を有するシャフトと、その一方の面に前記ギア溝に系合するギア溝を有するディスク落下防止片とを追加し、これらを前述の通り構成すればよく、極めてシンプルで部品点数の減少を図ることが出来る。
【００１２】請求項２記載の発明では、一方の面に凹段部を有するディスク受け面を備えたトレイを、本体キャビンネットに出し入れ自在に形成してなるディスク装置において、前記ディスク受け面の裏面側に、トレイの前面から貫装されその一部にギア溝を有するシャフトと、一端が前記裏面側に、他端がディスク受け面側に位置するようにトレイの凹段部分を嵌装し、その一方の面に前記シャフトのギア溝に系合するギア溝を有するディスク落下防止片とからなり、前記トレイの前面に位置するシャフトの操作部を前後に移動することにより、前記ディスク落下防止片を前記ディスク受け面の中心方向に移動可能に構成する。
【００１３】請求項２記載の発明の構成によれば、この種ディスク装置を縦置き使用する場合、トレイの前面に位置するシャフトの操作部を前に移動すれば、この移動はシャフトのギア溝に系合するディスク落下防止片のギア溝に伝達され、これによりディスク落下防止片は、ディスク受け面の中心方向に移動する。この状態で、ディスク受け面に沿うようにディスクを載置すれば、ディスクは前記ディスク落下防止片により保持される。従って、ディスクの落下を防止することが出来きる。しかも、その構成は、この種ディスク装置に、その一部にギア溝を有するシャフトと、その一方の面に前記ギア溝に系合するギア溝を有するディスク落下防止片とを追加し、これらを前述の通り構成すればよく、極めてシンプルで部品点数の減少を図ることが出来る。
【００１４】
【発明の実施の形態】以下、本発明の実施の形態を図１乃至図５に基づき説明する。
【００１５】図１は、本発明の一実施の形態によるディスク装置を縦置きとしたときの概略要部斜視図、図２は、トレイの要部のみを示す概略側面図である。このディスク装置には、本体キャビネット１に対しトレイ２が出し入れ自在に設けられている。トレイ２には、一方の面に凹段部２１が形成されて１２ｍｍのディスク３を受けるディスク受け面２２が設けられている。なお、ディスク受け面２２には、ピックアップユニット（図示せず）に積載されたスピンドルモータに設けたチャッキング部材であるターンテーブル（図示せず）が通される開口部２３が設けられている。また、トレイ２のディスク受け面２２には、前記ターンテーブルと協動してディスク３をチャッキングするクランパー及びクランパー部材（図示せず）が設けられている。
【００１６】前記ディスク受け面２２の裏面２４には、この種装置を縦置きした場合、下側となる部分に、トレイ３の前面２５から貫装され、その一部にギア溝４１を有するシャフト４が設けられている。４２は、シャフト４の操作部で、例えばつまみ状に形成され、トレイ３の前面２５側に位置し、この操作部４２を図１および図４に矢印Ａで示すように回転することにより、シャフト４全体が回転される。
【００１７】５は、ディスク落下防止片で、図示例では２箇所に設けられ、このディスク落下防止片５は、それぞれその一端５１が前記トレイ２の裏面２４側に、他端５２がディスク受け面２２側に位置するようにトレイ２の凹段部２１部分に設けられたスライド孔２６をスライドするように嵌装されている。また、このディスク落下防止片５の一端５１の前記シャフト４に対抗する一方の面には、前記シャフト４のギア溝４１に系合するギア溝５３が形成されている。従って、前記トレイ２の前面２５に位置するシャフト４の操作部４２を回転することにより、その回転力がシャフト４のギア溝４１に系合するディスク落下防止片５のギア溝５３に伝達され、これに伴って前記ディスク落下防止片５は、図２および図４に矢印Ｂで示すように、前記ディスク受け面２２の中心方向に前後にスライド移動する。前記ディスク落下防止片５の他端５２のディスク受け面２２側に位置する面と、このディスク受け面２３との間の距離は、ディスク３を装着した状態で、ディスク３をチャッキングや回転する際に邪魔にならない程度の隙間Ｔ（図４参照）が設けられていればよい。
【００１８】次に、このように構成された光ディスクのデータ破壊装置の動作を説明する。
【００１９】先ず、水平置きで使用する場合、ディスク落下防止片５は必要としないので、トレイ２の前面２５に位置する操作部４２を例えば図４において、時計方向に回転する。この回転力は、シャフト４のギア溝４１に系合するディスク落下防止片５のギア溝５３に伝達され、これに伴って前記ディスク落下防止片５は、同図では紙面左方向にスライド移動し、ディスク３の載置に邪魔とならない位置まで退避させ、その状態でこれまでの水平置き専用のものと全く同じ要領で使用すればよい。
【００２０】次に、縦置きで使用する場合、トレイ２の前面２５に位置する操作部４２を例えば図４において、反時計方向に回転する。この回転力は、前述の場合と同様、シャフト４のギア溝４１に系合するディスク落下防止片５のギア溝５３に伝達され、これに伴って前記ディスク落下防止片５は、同図では紙面右方向、すなわち、前記ディスク受け面２２の中心側に向けてスライド移動して図４に示すような状態になる。この状態で、ローディングボタンを操作し、トレイ２を引き出して所望のディスク３をディスク受け面２２に載置すれば、この例ではディスク３は、下側の２箇所の前記ディスク落下防止片５により保持された状態となる。次に、この状態で、図示しないローディングボタンを操作し、トレイ２を本体キャビネット１内にロードする。これにより、ディスク受け面２２に載置されたディスク３は、ディスク受け面２２から落下することなく、確実に装置内に送入することが出来る。その後、ディスク３は、ピックアップユニット内のチャッキングなどによりチャッキングされる。
【００２１】なお、詳述しないがインジェクト時においても、動作的には前述のロード動作と略同じで、図示しないローディングボタンを操作し、トレイ２を本体キャビネット１からインジェクトする。このとき、ディスク３は、下側の２箇所の前記ディスク落下防止片５により保持された状態で、インジェクトされるのでディスク受け面２２から落下することはない。
【００２２】以上のような実施の形態では、この種ディスク装置に、その一部にギア溝を有するシャフトと、その一方の面に前記ギア溝に系合するギア溝を有するディスク落下防止片とを追加し、これらを前記トレイの前面に位置するシャフトの操作部を回転することにより、前記ディスク落下防止片が前記ディスク受け面の中心方向に移動可能に、前記トレイの凹段部分を嵌装するように装着すれば、この種装置を縦置き使用もできるのは勿論のこと、極めてシンプルな構成で部品点数の減少を図ることが出来る。
【００２３】次に、図６に示す別の実施の形態について説明する。この形態では、前述した実施の形態におけるシャフトの操作を回転から、前後移動に変更したものである。なお、図６において図１乃至図５と同じ符号を付した部分は略同一のものを示す。以下相違点を中心に説明する。
【００２４】図６は、シャフトとディスク落下防止片との関係を示す概略斜視図である。この実施の形態では、シャフト４のギア溝４２と、これに系合するディスク落下防止片５のギア溝５３との関係が、シャフト４を図同に矢印Ｃで示すように紙面左右に動かすと、ディスク落下防止片５が図同に矢印Ｂで示すように、ディスク受け面の中心方向に前後にスライド移動するように構成されている。すなわち、シャフト４のギア溝４２の溝の方向が、前述した実施の形態例と１８０度異なり、他の構成は略同じである。
【００２５】この構成によれば、縦置き使用時に、その操作部（図示省略）をトレイの前面側から本体キャビネット側（紙面右方向）に押すように操作すると、シャフト４全体は、図６に矢印Ｃで示すように紙面左から右に移動し、これに伴ってディスク落下防止片５が図同に矢印Ｂで示すように、ディスク受け面の中心方向にスライド移動する。
【００２６】従って、この実施の形態においても、この種装置を縦置き使用した場合、ディスク３は前記ディスク落下防止片５により保持された状態で、インジェクトおよびローディング動作を行うことが出来る。従って、インジェクトおよびローディング時に、ディスクが落下するのを防止することが出来る。しかも、その構成は、極めてシンプルで部品点数の減少を図ることが出来る。
【００２７】なお、上述した各実施の形態は、本発明の好適な実施の形態の例であるが、これに限定されるものではなく、本発明の要旨を逸脱しない範囲において、種々変形実施可能である。
【００２８】
【発明の効果】以上説明したように、請求項１記載の発明では、この種ディスク装置に、その一部にギア溝を有するシャフトと、その一方の面に前記ギア溝に系合するギア溝を有するディスク落下防止片とを追加し、これらを前記トレイの前面に位置するシャフトの操作部を回転することにより、前記ディスク落下防止片が前記ディスク受け面の中心方向に移動可能に、前記トレイの凹段部分を嵌装するように装着すれば、この種装置を縦置き使用もできるのは勿論のこと、極めてシンプルな構成で部品点数の減少を図ることが出来とともに、この種装置が安価となる、などという効果を奏する。
【００２９】また、請求項２記載の発明では、この種ディスク装置に、その一部にギア溝を有するシャフトと、その一方の面に前記ギア溝に系合するギア溝を有するディスク落下防止片とを追加し、これらを前記トレイの前面に位置するシャフトの操作部を前後に移動することにより、前記ディスク落下防止片が前記ディスク受け面の中心方向に移動可能に、前記トレイの凹段部分を嵌装するように装着すれば、この種装置を縦置き使用もできるのは勿論のこと、極めてシンプルな構成で部品点数の減少を図り、この種装置が安価となる。
【図面の簡単な説明】
【図１】本発明の一実施の形態によるディスク装置を縦置きとしたときの概略要部斜視図である。
【図２】図１に示す装置のトレイの要部のみを示す概略側面図である。
【図３】シャフトとディスク落下防止片との関係を示す概略斜視図である。
【図４】シャフトとディスク落下防止片およびトレイとの関係を示す要部拡大断面図である。
【図５】シャフトとディスク落下防止片のギア溝関係を示す概略要部拡大図である。
【図６】本発明の他の実施の形態によるシャフトとディスク落下防止片との関係を示す概略斜視図である。
【符号の説明】
１    本体キャビネット
２    トレイ
２１  凹段部
２２  ディスク受け面
２４  裏面
２５  前面
３    ディスク
４    シャフト
４１  ギア溝
４２  操作部
５    ディスク落下防止片
５１  一端
５２  他端
５３  ギア溝
【図１】
2004158103.tif 000003
【図２】
2004158103.tif 000004
【図３】
2004158103.tif 000005
【図４】
2004158103.tif 000006
【図５】
2004158103.tif 000007
【図６】
2004158103.tif 000008